(57)【要約】【課題】ハイライト部やシャドー部における画像の階調バランスを保持しつつ画像データの濃度を適正に変更する。【解決手段】濃度変更指示データに基づいて、中濃度基準点ＭのＹ軸方向における座標位置を変更させ、高濃度基準点Ｈ及び／又は低濃度基準点Ｌの変換基準直線Ｌｓ上における座標位置を変更させる。中濃度基準点Ｍ、高濃度基準点Ｈ、低濃度基準点Ｌの少なくとも３点を通過する変換曲線を示す濃度変換特性データに基づいて画像データの濃度を変換する。【選択図】図３
2006093965.tif 000002
【特許請求の範囲】
【請求項１】
所定入力レンジの入力画像データの濃度を当該入力画像データの濃度とは異なる濃度に変換して所定出力レンジの出力画像データを出力する濃度変換手段を備えた画像処理装置であって、
前記濃度変換手段は、濃度変更指示データに対応する濃度変換特性データを算出する演算手段を有し、
前記濃度変換特性データは、前記入力画像データの入力レンジをＸ軸に設定し且つ出力画像データの出力レンジをＹ軸に設定したＸＹ平面上に形成される矩形状の変換領域を含み、当該変換領域内に存在する中濃度基準点と、前記変換領域の原点及びその対角点を通過する変換基準直線上において前記原点側に位置し当該原点を含む変換領域外に存在する高濃度基準点と、前記変換基準直線上において前記対角点側に位置し当該対角点を含む変換領域外に存在する低濃度基準点と、の少なくとも３点を通過する変換曲線を示すデータで構成され、
前記濃度変更指示データは、前記中濃度基準点のＹ軸方向における座標位置を変更させるデータであり、
前記演算手段は、前記濃度変更指示データに基づく前記中濃度基準点の座標位置の変更に連動させて前記高濃度基準点及び／又は低濃度基準点の前記変換基準直線上における座標位置を変更する演算を行うことにより、前記濃度変更指示データに対応する濃度変換特性データを算出することを特徴とする画像処理装置。
【請求項２】
請求項１に記載の画像処理装置において、
前記濃度変更指示データを入力するための操作部を備えたことを特徴とする画像処理装置。
【請求項３】
請求項１に記載の画像処理装置において、
前記入力画像データを解析することにより前記濃度変更指示データを算出する自動算出手段を備えたことを特徴とする画像処理装置。
【請求項４】
請求項３に記載の画像処理装置において、
前記自動算出手段は、前記入力画像データから画像の撮影シーンを判別し、前記撮影シーン判別結果に基づいて前記濃度変更指示データを算出することを特徴とする画像処理装置。
【請求項５】
請求項１〜４のいずれか一項に記載の画像処理装置において、
前記濃度変更指示データは少なくともＹＭＣの各色について濃度を変更させるものであり、前記ＹＭＣの各色について、それぞれの濃度の変化量が定義されていることを特徴とする画像処理装置。
【請求項６】
請求項１〜５のいずれか一項に記載の画像処理装置において、
濃度変更指示が複数の場合には、当該複数の濃度変更指示に対する各濃度変化量から総和を算出し、前記算出された総和に基づいて濃度を変更することを特徴とする画像処理装置。
【請求項７】
請求項１〜６のいずれか一項に記載の画像処理装置において、
濃度変更指示に対する１変更指示あたりの単位変化量は、各濃度の濃度変更指示毎に設定可能であることを特徴とする画像処理装置。
【請求項８】
請求項１〜７のいずれか一項に記載の画像処理装置において、
前記濃度変更指示データが示す変更量が大きくなるにつれて、前記原点と前記高濃度基準点との距離が大きくなることを特徴とする画像処理装置。
【請求項９】
請求項１〜８のいずれか一項に記載の画像処理装置において、
前記濃度変更指示データが示す変更量が大きくなるにつれて、前記対角点と前記低濃度基準点との距離が大きくなることを特徴とする画像処理装置。
【請求項１０】
所定入力レンジの入力画像データの濃度を当該入力画像データの濃度とは異なる濃度に変換して所定出力レンジの出力画像データを出力する濃度変換工程を含む画像処理方法であって、
前記濃度変換工程は、濃度変更指示データに対応する濃度変換特性データを算出する演算工程を含み、
前記濃度変換特性データは、前記入力画像データの入力レンジをＸ軸に設定し且つ出力画像データの出力レンジをＹ軸に設定したＸＹ平面上に形成される矩形状の変換領域を含み、当該変換領域内に存在する中濃度基準点と、前記変換領域の原点及びその対角点を通過する変換基準直線上において前記原点側に位置し当該原点を含む変換領域外に存在する高濃度基準点と、前記変換基準直線上において前記対角点側に位置し当該対角点を含む変換領域外に存在する低濃度基準点と、の少なくとも３点を通過する変換曲線を示すデータで構成され、
前記濃度変更指示データは、前記中濃度基準点のＹ軸方向における座標位置を変更させるデータであり、
前記演算工程では、前記濃度変更指示データに基づく前記中濃度基準点の座標位置の変更に連動させて前記高濃度基準点及び／又は低濃度基準点の前記変換基準直線上における座標位置を変更する演算を行うことにより、前記濃度変更指示データに対応する濃度変換特性データを算出することを特徴とする画像処理方法。
【請求項１１】
請求項１０に記載の画像処理方法において、
前記濃度変更指示データは、操作部から入力されることを特徴とする画像処理方法。
【請求項１２】
請求項１０に記載の画像処理方法において、
前記入力画像データを解析することにより前記濃度変更指示データを算出する自動算出工程を含むことを特徴とする画像処理方法。
【請求項１３】
請求項１２に記載の画像処理方法において、
前記自動算出工程では、前記入力画像データから画像の撮影シーンを判別し、前記撮影シーン判別結果に基づいて前記濃度変更指示データを算出することを特徴とする画像処理方法。
【請求項１４】
請求項１０〜１３のいずれか一項に記載の画像処理方法において、
前記濃度変更指示データは少なくともＹＭＣの各色について濃度を変更させるものであり、前記ＹＭＣの各色について、それぞれの濃度の変化量が定義されていることを特徴とする画像処理方法。
【請求項１５】
請求項１０〜１４のいずれか一項に記載の画像処理方法において、
濃度変更指示が複数の場合には、当該複数の濃度変更指示に対する各濃度変化量から総和を算出し、前記算出された総和に基づいて濃度を変更することを特徴とする画像処理方法。
【請求項１６】
請求項１０〜１５のいずれか一項に記載の画像処理方法において、
濃度変更指示に対する１変更指示あたりの単位変化量は、各濃度の濃度変更指示毎に設定可能であることを特徴とする画像処理方法。
【請求項１７】
請求項１０〜１６のいずれか一項に記載の画像処理方法において、
前記濃度変更指示データが示す変更量が大きくなるにつれて、前記原点と前記高濃度基準点との距離が大きくなることを特徴とする画像処理方法。
【請求項１８】
請求項１０〜１７のいずれか一項に記載の画像処理方法において、
前記濃度変更指示データが示す変更量が大きくなるにつれて、前記対角点と前記低濃度基準点との距離が大きくなることを特徴とする画像処理方法。
【請求項１９】
コンピュータに、所定入力レンジの入力画像データの濃度を当該入力画像データの濃度とは異なる濃度に変換して所定出力レンジの出力画像データを出力する濃度変換機能を実現させるためのプログラムであって、
前記濃度変換機能を実現させる際に、濃度変更指示データに対応する濃度変換特性データを算出する演算機能を実現させ、
前記濃度変換特性データは、前記入力画像データの入力レンジをＸ軸に設定し且つ出力画像データの出力レンジをＹ軸に設定したＸＹ平面上に形成される矩形状の変換領域を含み、当該変換領域内に存在する中濃度基準点と、前記変換領域の原点及びその対角点を通過する変換基準直線上において前記原点側に位置し当該原点を含む変換領域外に存在する高濃度基準点と、前記変換基準直線上において前記対角点側に位置し当該対角点を含む変換領域外に存在する低濃度基準点と、の少なくとも３点を通過する変換曲線を示すデータで構成され、
前記濃度変更指示データは、前記中濃度基準点のＹ軸方向における座標位置を変更させるデータであり、
前記演算機能を実現させる際に、前記濃度変更指示データに基づく前記中濃度基準点の座標位置の変更に連動させて前記高濃度基準点及び／又は低濃度基準点の前記変換基準直線上における座標位置を変更する演算を行うことにより、前記濃度変更指示データに対応する濃度変換特性データを算出することを特徴とするプログラム。
【請求項２０】
請求項１９に記載のプログラムにおいて、
前記濃度変更指示データは、操作部から入力されることを特徴とするプログラム。
【請求項２１】
請求項１９に記載のプログラムにおいて、
前記コンピュータに、
前記入力画像データを解析することにより前記濃度変更指示データを算出する自動算出機能を実現させることを特徴とするプログラム。
【請求項２２】
請求項２１に記載のプログラムにおいて、
前記自動算出機能を実現させる際に、前記入力画像データから画像の撮影シーンを判別し、前記撮影シーン判別結果に基づいて前記濃度変更指示データを算出することを特徴とするプログラム。
【請求項２３】
請求項１９〜２２のいずれか一項に記載のプログラムにおいて、
前記濃度変更指示データは少なくともＹＭＣの各色について濃度を変更させるものであり、前記ＹＭＣの各色について、それぞれの濃度の変化量が定義されていることを特徴とするプログラム。
【請求項２４】
請求項１９〜２３のいずれか一項に記載のプログラムにおいて、
濃度変更指示が複数の場合には、当該複数の濃度変更指示に対する各濃度変化量から総和を算出し、前記算出された総和に基づいて濃度を変更することを特徴とするプログラム。
【請求項２５】
請求項１９〜２４のいずれか一項に記載のプログラムにおいて、
濃度変更指示に対する１変更指示あたりの単位変化量は、各濃度の濃度変更指示毎に設定可能であることを特徴とするプログラム。
【請求項２６】
請求項１９〜２５のいずれか一項に記載のプログラムにおいて、
前記濃度変更指示データが示す変更量が大きくなるにつれて、前記原点と前記高濃度基準点との距離が大きくなることを特徴とするプログラム。
【請求項２７】
請求項１９〜２６のいずれか一項に記載のプログラムにおいて、
前記濃度変更指示データが示す変更量が大きくなるにつれて、前記対角点と前記低濃度基準点との距離が大きくなることを特徴とするプログラム。
【発明の詳細な説明】
【技術分野】
【０００１】
本発明は、画像処理装置、画像処理方法及びプログラムに関する。
【背景技術】
【０００２】
銀塩フィルムをフィルムスキャナで読み取った画像データ、あるいは、デジタルスチルカメラで撮影して取得された画像データに対して、適宜画像処理を施し、プリント出力したり、ＣＤ−Ｒ（Compact Disc-Recordable）等の各種記録メディアに出力したりする技術が普及している。
【０００３】
この画像処理の過程では、画像の濃度すなわち明るさが適切なものとなるように画像データに対し濃度変換が行われる。例えば、図１６に示すように、入力値（例えば０〜２５５の階調）に対して出力値が等しい直線Ｌ０で示す変換と比較して、変換直線Ｌ１を用いて画像全体の濃度を高くするような濃度変換を行う場合には、画像中の明るい部分（ハイライト部）も暗くなってしまう。ここで、画像データの入力値及び出力値は、値が小さいほど濃度が高いことを示し、値が大きいほど濃度が低いことを示している。
【０００４】
一方、図１６に示す変換直線Ｌ２を用いて画像全体の濃度を低くするような濃度変換を行う場合には、画像中の暗い部分（シャドー部）も明るくなり、しまりのない画像になってしまう。また、画像を明るくしていくと入力値の最大値付近で出力値が最大値（例えば２５５）になってしまい（白抜け）、ハイライト部の区別がつかなくなる。
【０００５】
そこで、ハイライト部及びシャドー部における問題を改善するために、図１７に示すような変換曲線Ｃ１，Ｃ２を用いて、画像の最高濃度部及び最低濃度部の濃度を略保持した状態で、被写体の濃度が目標濃度範囲となるように画像の階調を変換する画像処理方法が提案されている（例えば、特許文献１参照）。
【特許文献１】特開２０００−１９６８９０号公報
【発明の開示】
【発明が解決しようとする課題】
【０００６】
しかし、特許文献１に記載の技術においても、画像全体の濃度を高くするような濃度変換を行う場合に（図１７の変換曲線Ｃ１参照）、最高濃度部及び最低濃度部の濃度は略変わらないため、シャドー部では元画像に対して軟調になり、ハイライト部では元画像に対して硬調になるという問題があった。
【０００７】
また、画像全体の濃度を低くするような濃度変換を行う場合に（図１７の変換曲線Ｃ２参照）、シャドー部では元画像に対して硬調になり、ノイズが目立ってしまっていた。また、ハイライト部では元画像に対して軟調になるという問題があった。
【０００８】
本発明は上記の従来技術における問題に鑑みてなされたものであって、ハイライト部やシャドー部における画像の階調バランスを保持しつつ画像データの濃度を適正に変更しうる画像処理技術を提供することを課題とする。
【課題を解決するための手段】
【０００９】
請求項１に記載の発明は、所定入力レンジの入力画像データの濃度を当該入力画像データの濃度とは異なる濃度に変換して所定出力レンジの出力画像データを出力する濃度変換手段を備えた画像処理装置であって、前記濃度変換手段は、濃度変更指示データに対応する濃度変換特性データを算出する演算手段を有し、前記濃度変換特性データは、前記入力画像データの入力レンジをＸ軸に設定し且つ出力画像データの出力レンジをＹ軸に設定したＸＹ平面上に形成される矩形状の変換領域を含み、当該変換領域内に存在する中濃度基準点と、前記変換領域の原点及びその対角点を通過する変換基準直線上において前記原点側に位置し当該原点を含む変換領域外に存在する高濃度基準点と、前記変換基準直線上において前記対角点側に位置し当該対角点を含む変換領域外に存在する低濃度基準点と、の少なくとも３点を通過する変換曲線を示すデータで構成され、前記濃度変更指示データは、前記中濃度基準点のＹ軸方向における座標位置を変更させるデータであり、前記演算手段は、前記濃度変更指示データに基づく前記中濃度基準点の座標位置の変更に連動させて前記高濃度基準点及び／又は低濃度基準点の前記変換基準直線上における座標位置を変更する演算を行うことにより、前記濃度変更指示データに対応する濃度変換特性データを算出することを特徴とする。
【００１０】
請求項２に記載の発明は、請求項１に記載の画像処理装置において、前記濃度変更指示データを入力するための操作部を備えたことを特徴とする。
【００１１】
請求項３に記載の発明は、請求項１に記載の画像処理装置において、前記入力画像データを解析することにより前記濃度変更指示データを算出する自動算出手段を備えたことを特徴とする。
【００１２】
請求項４に記載の発明は、請求項３に記載の画像処理装置において、前記自動算出手段は、前記入力画像データから画像の撮影シーンを判別し、前記撮影シーン判別結果に基づいて前記濃度変更指示データを算出することを特徴とする。
【００１３】
請求項５に記載の発明は、請求項１〜４のいずれか一項に記載の画像処理装置において、前記濃度変更指示データは少なくともＹＭＣの各色について濃度を変更させるものであり、前記ＹＭＣの各色について、それぞれの濃度の変化量が定義されていることを特徴とする。
【００１４】
請求項６に記載の発明は、請求項１〜５のいずれか一項に記載の画像処理装置において、濃度変更指示が複数の場合には、当該複数の濃度変更指示に対する各濃度変化量から総和を算出し、前記算出された総和に基づいて濃度を変更することを特徴とする。
【００１５】
請求項７に記載の発明は、請求項１〜６のいずれか一項に記載の画像処理装置において、濃度変更指示に対する１変更指示あたりの単位変化量は、各濃度の濃度変更指示毎に設定可能であることを特徴とする。
【００１６】
請求項８に記載の発明は、請求項１〜７のいずれか一項に記載の画像処理装置において、前記濃度変更指示データが示す変更量が大きくなるにつれて、前記原点と前記高濃度基準点との距離が大きくなることを特徴とする。
【００１７】
請求項９に記載の発明は、請求項１〜８のいずれか一項に記載の画像処理装置において、前記濃度変更指示データが示す変更量が大きくなるにつれて、前記対角点と前記低濃度基準点との距離が大きくなることを特徴とする。
【００１８】
請求項１０に記載の発明は、所定入力レンジの入力画像データの濃度を当該入力画像データの濃度とは異なる濃度に変換して所定出力レンジの出力画像データを出力する濃度変換工程を含む画像処理方法であって、前記濃度変換工程は、濃度変更指示データに対応する濃度変換特性データを算出する演算工程を含み、前記濃度変換特性データは、前記入力画像データの入力レンジをＸ軸に設定し且つ出力画像データの出力レンジをＹ軸に設定したＸＹ平面上に形成される矩形状の変換領域を含み、当該変換領域内に存在する中濃度基準点と、前記変換領域の原点及びその対角点を通過する変換基準直線上において前記原点側に位置し当該原点を含む変換領域外に存在する高濃度基準点と、前記変換基準直線上において前記対角点側に位置し当該対角点を含む変換領域外に存在する低濃度基準点と、の少なくとも３点を通過する変換曲線を示すデータで構成され、前記濃度変更指示データは、前記中濃度基準点のＹ軸方向における座標位置を変更させるデータであり、前記演算工程では、前記濃度変更指示データに基づく前記中濃度基準点の座標位置の変更に連動させて前記高濃度基準点及び／又は低濃度基準点の前記変換基準直線上における座標位置を変更する演算を行うことにより、前記濃度変更指示データに対応する濃度変換特性データを算出することを特徴とする。
【００１９】
請求項１１に記載の発明は、請求項１０に記載の画像処理方法において、前記濃度変更指示データは、操作部から入力されることを特徴とする。
【００２０】
請求項１２に記載の発明は、請求項１０に記載の画像処理方法において、前記入力画像データを解析することにより前記濃度変更指示データを算出する自動算出工程を含むことを特徴とする。
【００２１】
請求項１３に記載の発明は、請求項１２に記載の画像処理方法において、前記自動算出工程では、前記入力画像データから画像の撮影シーンを判別し、前記撮影シーン判別結果に基づいて前記濃度変更指示データを算出することを特徴とする。
【００２２】
請求項１４に記載の発明は、請求項１０〜１３のいずれか一項に記載の画像処理方法において、前記濃度変更指示データは少なくともＹＭＣの各色について濃度を変更させるものであり、前記ＹＭＣの各色について、それぞれの濃度の変化量が定義されていることを特徴とする。
【００２３】
請求項１５に記載の発明は、請求項１０〜１４のいずれか一項に記載の画像処理方法において、濃度変更指示が複数の場合には、当該複数の濃度変更指示に対する各濃度変化量から総和を算出し、前記算出された総和に基づいて濃度を変更することを特徴とする。
【００２４】
請求項１６に記載の発明は、請求項１０〜１５のいずれか一項に記載の画像処理方法において、濃度変更指示に対する１変更指示あたりの単位変化量は、各濃度の濃度変更指示毎に設定可能であることを特徴とする。
【００２５】
請求項１７に記載の発明は、請求項１０〜１６のいずれか一項に記載の画像処理方法において、前記濃度変更指示データが示す変更量が大きくなるにつれて、前記原点と前記高濃度基準点との距離が大きくなることを特徴とする。
【００２６】
請求項１８に記載の発明は、請求項１０〜１７のいずれか一項に記載の画像処理方法において、前記濃度変更指示データが示す変更量が大きくなるにつれて、前記対角点と前記低濃度基準点との距離が大きくなることを特徴とする。
【００２７】
請求項１９に記載の発明は、コンピュータに、所定入力レンジの入力画像データの濃度を当該入力画像データの濃度とは異なる濃度に変換して所定出力レンジの出力画像データを出力する濃度変換機能を実現させるためのプログラムであって、前記濃度変換機能を実現させる際に、濃度変更指示データに対応する濃度変換特性データを算出する演算機能を実現させ、前記濃度変換特性データは、前記入力画像データの入力レンジをＸ軸に設定し且つ出力画像データの出力レンジをＹ軸に設定したＸＹ平面上に形成される矩形状の変換領域を含み、当該変換領域内に存在する中濃度基準点と、前記変換領域の原点及びその対角点を通過する変換基準直線上において前記原点側に位置し当該原点を含む変換領域外に存在する高濃度基準点と、前記変換基準直線上において前記対角点側に位置し当該対角点を含む変換領域外に存在する低濃度基準点と、の少なくとも３点を通過する変換曲線を示すデータで構成され、前記濃度変更指示データは、前記中濃度基準点のＹ軸方向における座標位置を変更させるデータであり、前記演算機能を実現させる際に、前記濃度変更指示データに基づく前記中濃度基準点の座標位置の変更に連動させて前記高濃度基準点及び／又は低濃度基準点の前記変換基準直線上における座標位置を変更する演算を行うことにより、前記濃度変更指示データに対応する濃度変換特性データを算出することを特徴とする。
【００２８】
請求項２０に記載の発明は、請求項１９に記載のプログラムにおいて、前記濃度変更指示データは、操作部から入力されることを特徴とする。
【００２９】
請求項２１に記載の発明は、請求項１９に記載のプログラムにおいて、前記コンピュータに、前記入力画像データを解析することにより前記濃度変更指示データを算出する自動算出機能を実現させることを特徴とする。
【００３０】
請求項２２に記載の発明は、請求項２１に記載のプログラムにおいて、前記自動算出機能を実現させる際に、前記入力画像データから画像の撮影シーンを判別し、前記撮影シーン判別結果に基づいて前記濃度変更指示データを算出することを特徴とする。
【００３１】
請求項２３に記載の発明は、請求項１９〜２２のいずれか一項に記載のプログラムにおいて、前記濃度変更指示データは少なくともＹＭＣの各色について濃度を変更させるものであり、前記ＹＭＣの各色について、それぞれの濃度の変化量が定義されていることを特徴とする。
【００３２】
請求項２４に記載の発明は、請求項１９〜２３のいずれか一項に記載のプログラムにおいて、濃度変更指示が複数の場合には、当該複数の濃度変更指示に対する各濃度変化量から総和を算出し、前記算出された総和に基づいて濃度を変更することを特徴とする。
【００３３】
請求項２５に記載の発明は、請求項１９〜２４のいずれか一項に記載のプログラムにおいて、濃度変更指示に対する１変更指示あたりの単位変化量は、各濃度の濃度変更指示毎に設定可能であることを特徴とする。
【００３４】
請求項２６に記載の発明は、請求項１９〜２５のいずれか一項に記載のプログラムにおいて、前記濃度変更指示データが示す変更量が大きくなるにつれて、前記原点と前記高濃度基準点との距離が大きくなることを特徴とする。
【００３５】
請求項２７に記載の発明は、請求項１９〜２６のいずれか一項に記載のプログラムにおいて、前記濃度変更指示データが示す変更量が大きくなるにつれて、前記対角点と前記低濃度基準点との距離が大きくなることを特徴とする。
【発明の効果】
【００３６】
請求項１、１０、１９に記載の発明によれば、濃度変更指示データに基づいて変換領域内に存在する中濃度基準点の座標位置が変更され、この中濃度基準点の座標位置の変更に連動して高濃度基準点及び／又は低濃度基準点の変換基準直線上における座標位置が変更されるので、高濃度基準点、中濃度基準点及び低濃度基準点の3点を通過する変換曲線、すなわち濃度変換特性が変更されることとなる。
その結果、変換曲線が変換領域の境界を横切る座標位置のデータが変換領域の原点又は対角点に収束する値をもたず、原点又は対角点から適度に離れた値をもつため、ハイライト部やシャドー部における画像の階調バランスを保持しつつ画像データの濃度を適正に変更することができる。
【００３７】
請求項２、１１、２０に記載の発明によれば、操作部から濃度変更指示データを入力することができる。
【００３８】
請求項３、１２、２１に記載の発明によれば、入力画像データを解析することにより濃度変更指示データを算出することができる。
【００３９】
請求項４、１３、２２に記載の発明によれば、入力画像データから画像の撮影シーンを判別し、撮影シーン判別結果に基づいて濃度変更指示データを算出するので、画像の撮影シーンに適した濃度変更を行うことができる。
【００４０】
請求項５、１４、２３に記載の発明によれば、ＹＭＣの各色について、それぞれの濃度の変化量が定義されているので、画像データの濃度を適正に変更することができる。
【００４１】
請求項６、１５、２４に記載の発明によれば、濃度変更指示が複数の場合には、複数の濃度変更指示に対する各濃度変化量から総和を算出し、算出された総和に基づいて濃度を変更するので、効率良く画像データの濃度を変更することができる。
【００４２】
請求項７、１６、２５に記載の発明によれば、濃度変更指示に対する１変更指示あたりの単位変化量を、各濃度の濃度変更指示毎に設定することができる。
【００４３】
請求項８、１７、２６に記載の発明によれば、濃度変更指示データが示す変更量が大きくなるにつれて、原点と高濃度基準点との距離が大きくなるので、シャドー部における画像の硬調化又は軟調化を緩和することができる。
【００４４】
請求項９、１８、２７に記載の発明によれば、濃度変更指示データが示す変更量が大きくなるにつれて、対角点と低濃度基準点との距離が大きくなるので、ハイライト部における画像の硬調化又は軟調化を緩和することができる。
【発明を実施するための最良の形態】
【００４５】
以下、図を参照して本発明の最良の形態を詳細に説明する。ただし、発明の範囲は、図示例に限定されない。
【００４６】
まず、本発明の実施の形態の画像処理装置１について説明する。
図１は、画像処理装置１の概観構成を示す斜視図である。図１に示すように、画像処理装置１には、本体２の一側面に感光材料を装填するためのマガジン装填部３が設けられている。本体２の内側には、感光材料に露光する露光処理部４と、露光された感光材料を現像処理して乾燥し、プリントを作成するプリント作成部５が設けられている。作成されたプリントは、本体２の他側面に設けられたトレー６に排出される。
【００４７】
また、本体２の上部には、表示装置としてのＣＲＴ（Cathode Ray Tube）８、透過原稿を読み込む装置である透過原稿入力装置９、反射原稿入力装置１０、操作部１１が備えられている。さらに、本体２には、各種デジタル記録媒体に記録された画像データを読み取り可能な画像読込部１４、各種デジタル記録媒体に画像データを書き込み（出力）可能な画像書込部１５が備えられている。また、本体２の内部には、これらの各部を集中制御する制御部７が備えられている。
【００４８】
画像読込部１４には、ＰＣカード用アダプタ１４ａ、フロッピー（登録商標）ディスク用アダプタ１４ｂが備えられ、ＰＣカード１３ａやフロッピーディスク１３ｂが差し込み可能になっている。ＰＣカード用アダプタ１４ａとしては、例えばＰＣカードリーダやＰＣカードスロット等が用いられる。ＰＣカード１３ａやフロッピーディスク１３ｂには、例えば、デジタルカメラで撮像された複数の画像データが記録されている。その他、画像データを有する記録媒体としては、マルチメディアカード、メモリースティック、ＭＯ、ＣＤ−ＲＯＭ（Compact Disc Read Only Memory）等が挙げられる。
【００４９】
画像書込部１５には、フロッピーディスク用アダプタ１５ａ、ＭＯ用アダプタ１５ｂ、光ディスク用アダプタ１５ｃが備えられ、各々、フロッピーディスク１６ａ、ＭＯ１６ｂ、光ディスク１６ｃが差し込み可能になっており、画像データを画像記録メディアに書き込むことができるようになっている。光ディスク１６ｃとしては、ＣＤ−Ｒ、ＤＶＤ−Ｒ（ＤＶＤ-Recordable）等がある。
【００５０】
なお、図１では、操作部１１、ＣＲＴ８、透過原稿入力装置９、反射原稿入力装置１０、画像読込部１４が、本体２に一体的に備えられた構造となっているが、これらのいずれか１つ以上を別体として設けるようにしてもよい。
【００５１】
なお、図１に示した画像処理装置１では、感光材料に露光して現像してプリントを作成するものが例示されているが、プリント作成方式はこれに限定されず、例えば、インクジェット方式、電子写真方式、感熱方式、昇華方式等の方式を用いてもよい。
【００５２】
図２は、画像処理装置１の内部構成を示すブロック図である。図２に示すように、画像処理装置１は、制御部７、露光処理部４、プリント作成部５、ＣＲＴ８、透過原稿入力装置９、反射原稿入力装置１０、操作部１１、画像読込部１４、画像書込部１５、データ蓄積手段１７から構成される。
【００５３】
制御部７は、マイクロコンピュータにより構成され、ＲＯＭ（Read Only Memory）等の記憶部（図示略）に記憶されている画像処理プログラム等の各種制御プログラムと、ＣＰＵ（Central Processing Unit）（図示略）との協働により、画像処理装置１を構成する各部の動作を統括的に制御する。
【００５４】
制御部７は、濃度変換手段７０を有し、操作部１１からの入力信号に基づいて、透過原稿入力装置９や反射原稿入力装置１０により取得した画像データ、画像読込部１４から読み込まれた画像データに対して濃度変換処理を施し、ＣＲＴ８、露光処理部４、画像書込部１５に出力する。具体的に、濃度変換手段７０は、濃度変更指示データに対応する濃度変換特性データを算出し、濃度変換特性データに基づいて画像データの濃度を変換する（図５参照）。濃度変更指示データとは、画像の濃度を変更させるためのデータであって、ユーザが操作部１１から入力することとしてもよいし、画像データを解析することにより自動的に算出されることとしてもよい。また、濃度変換特性データとは、濃度変換処理を行う際の入力値に対する出力値を示すデータをいう。すなわち、濃度変換手段７０は、特許請求の範囲に記載の濃度変換手段、演算手段及び自動算出手段としての機能を有する。
【００５５】
ここで、図３を参照して、濃度変換曲線について説明する。図３に示すように、画像データの入力レンジをＸ軸に設定し且つ出力画像データの出力レンジをＹ軸に設定したＸＹ平面上に形成される矩形状の変換領域の原点Ａ１及びその対角点Ａ２を通過する直線を変換基準直線Ｌｓとする。濃度変換手段７０は、濃度変更指示データに基づいて変換領域内に存在する中濃度基準点ＭのＹ軸方向における座標位置を変更させる。また、変換基準直線Ｌｓ上の原点Ａ１側の原点Ａ１を含む変換領域外に高濃度基準点Ｈを、変換基準直線Ｌｓ上の対角点Ａ２側の対角点Ａ２を含む変換領域外に低濃度基準点Ｌを取る。濃度変換手段７０は、濃度変更指示データに基づく中濃度基準点Ｍの座標位置の変更に連動させて、高濃度基準点Ｈ及び／又は低濃度基準点Ｌの座標位置を変更させる。濃度変換特性データは、中濃度基準点Ｍ、高濃度基準点Ｈ、低濃度基準点Ｌの少なくとも３点を通過する変換曲線を示すデータで構成されている。
【００５６】
図４に、濃度の総変化量に対する高濃度基準点における入力値を示す。高濃度基準点は変換基準直線上に存在するため、入力値が決まれば出力値も決まり、高濃度基準点の位置が決定する。図４は、濃度変更指示データが示す変更量が大きくなり、濃度の総変化量が大きくなるにつれて、原点と高濃度基準点との距離が大きくなっていくことを示している。また、図４に示すように、濃度を高くする濃度変更指示に対して、ある程度までは高濃度基準点の位置を原点のままとすることとしてもよい。また、高濃度基準点は、異なる濃度総変化量に対して同じ位置であってもよい。同様に、濃度変更指示データが示す変更量が大きくなり、濃度の総変化量が大きくなるにつれて、対角点と低濃度基準点との距離が大きくなっていく。なお、高濃度基準点又は低濃度基準点のいずれかの座標位置を固定することとしてもよい。
【００５７】
露光処理部４は、感光材料に画像の露光を行い、この感光材料をプリント作成部５に出力する。プリント作成部５は、露光された感光材料を現像処理して乾燥し、プリントＰ１、Ｐ２、Ｐ３を作成する。プリントＰ１は、サービスサイズ、ハイビジョンサイズ、パノラマサイズ等のプリントであり、プリントＰ２は、Ａ４サイズのプリントであり、プリントＰ３は、名刺サイズのプリントである。
【００５８】
ＣＲＴ８は、制御部７から入力された表示制御信号に従って、画像データ等を表示する。
【００５９】
透過原稿入力装置９は、アナログカメラＣ１により撮像された現像済みのネガフィルムＦやリバーサルフィルム等の透過原稿に記録された画像を読み取る。
【００６０】
反射原稿入力装置１０は、図示しないフラットベッドスキャナにより、プリントＰ（写真プリント、書画、各種の印刷物）に形成された画像を読み取る。
【００６１】
操作部１１は、情報入力手段１２を有する。情報入力手段１２は、例えば、タッチパネル等により構成されており、情報入力手段１２の押下信号を入力信号として制御部７に出力する。なお、操作部１１は、キーボードやマウス等を備えて構成するようにしてもよい。
【００６２】
画像読込部１４は、ＰＣカード１３ａやフロッピーディスク１３ｂに記録されているデジタルカメラＣ２により撮像された画像データを読み出して制御部７に転送する。
【００６３】
画像書込部１５は、制御部７から入力される書込信号に従って、フロッピーディスク１６ａ、ＭＯ１６ｂ又は光ディスク１６ｃに、生成された画像データを書き込む。
【００６４】
データ蓄積手段１７は、ハードディスク等の記憶媒体により構成され、透過原稿入力装置９、反射原稿入力装置１０又は画像読込部１４から入力された画像データや、画像処理が施された処理後の画像データ等を記憶し、順次蓄積する。
【００６５】
次に、画像処理装置１における動作について説明する。
図５は、濃度変換手段７０により実行される濃度変換処理を説明するフローチャートである。
【００６６】
図５に示すように、まず、透過原稿入力装置９、反射原稿入力装置１０又は画像読込部１４から画像データが入力される（ステップＳ１）。
【００６７】
そして、ユーザにより操作部１１から画像データに対する濃度変更指示が入力される（ステップＳ２）。
【００６８】
図６（ａ）に、ＣＲＴ８に表示される操作画面の例を示す。ユーザは、図６（ａ）のようにＣＲＴ８に表示された画像を見ながら、画像を好みの色、濃度に変更する。この操作は、操作部１１のキーボードから行ってもよいし、マウスにより画面上のボタンを選択してもよい。なお、この操作画面は、操作部１１に表示されることとしてもよい。
【００６９】
図６（ｂ）に、図６（ａ）に示した操作画面における濃度調整ボタンを示す。「＋Ｙ」、「＋Ｍ」、「＋Ｃ」、「＋Ｄ」、「−Ｙ」、「−Ｍ」、「−Ｃ」、「−Ｄ」の濃度調整ボタンは、濃度変更指示を入力するためのものである。ここで、Ｙ、Ｍ、Ｃはそれぞれイエロー、マゼンタ、シアンの各色を表し、「＋」はその色の濃度を増加させ、「−」はその色の濃度を減少させる（弱める）補正処理を行うことを意味している。具体的には、例えば、「＋Ｙ」ボタンは、ＣＲＴ８の画面上に表示された画像全体に黄色みを帯びさせ、また、「−Ｙ」ボタンは、画像全体が青みを呈するように濃度を変更させるための操作ボタンになっている。また、Ｄは画像全体の濃度補正処理を表しており、「＋Ｄ」ボタンは、画像全体の濃度を高くする（すなわち、暗くする）ための操作ボタンであり、「−Ｄ」ボタンは、画像全体の濃度を低くする（すなわち、明るくする）ための操作ボタンである。
【００７０】
図７に示すように、１変更指示（１回のボタン操作）あたりのＹＭＣＤ各濃度の単位変化量は、各濃度の濃度変更指示毎に設定及び変更可能であるものとする。画像を読み取ったフィルムやメディア等の種類に応じてさらに細かく数値を入力するように構成することも可能である。
【００７１】
図８に示すように、色をＣＩＥ１９７６Ｌ*ａ*ｂ*色空間で表現した場合、Ｌ*は明度すなわち濃度を表し、ａ*及びｂ*は色成分を表している。濃度を高くすることはＬ*の値を小さくすることに相当し、濃度を低くすることはＬ*の値を大きくすることに相当する。
【００７２】
図９（ａ）は、「＋Ｙ」処理を示す単位ベクトルＹ、「＋Ｍ」処理を示す単位ベクトルＭ、「＋Ｃ」処理を示す単位ベクトルＣを同一Ｌ*平面上に射影した図であり、図９（ｂ）は、単位ベクトルＹ，Ｍ，Ｃを同一ｂ*平面上に射影した図である。図９（ａ）に示すように、単位ベクトルＹ，Ｍ，Ｃを足したときに、ａ*及びｂ*が略０となるようにＹＭＣ各色の単位変化量を設定することが望ましい。これにより、図９（ｂ）に示すように、ＹＭＣに対して同じ回数ずつボタン操作を行った場合に、Ｌ*方向の変化のみになる。そのため、「＋Ｙ」処理、「＋Ｍ」処理、「＋Ｃ」処理は、色の調整とともに約１／３の割合で濃度変更の効果も含むこととなる。なお、「−Ｙ」処理、「−Ｍ」処理、「−Ｃ」処理を示す単位ベクトルは、それぞれ、単位ベクトルＹ，Ｍ，Ｃに対して逆向きで同一長さのベクトルで表される。
【００７３】
なお、ユーザが操作部１１から画像データに対する濃度変更指示を入力する（マニュアル補正）代わりに、画像データを解析することにより自動的に濃度変更指示データを算出する（自動補正）こととしてもよい。また、自動的に濃度変更指示データを算出した後に、操作部１１からの指示により微調整を行うこととしてもよい。
【００７４】
ここで、図１０を参照して、自動補正処理について説明する。
図１０に示すように、まず、画像データが、所定の明度と色相の組み合わせからなる領域に分割され、分割された領域毎に領域内の累積画素数の全画素数（画像データ全体）に占める割合を示す第１の占有率が算出される。また、画像データが、画面の外縁からの距離と明度の組み合わせからなる領域に分割され、分割された領域毎に領域内の累積画素数の全画素数に占める割合を示す第２の占有率が算出される（ステップＴ１）。
【００７５】
次に、撮影シーンを特定するための指標（指標１〜６）が算出される（ステップＴ２）。ここで、撮影シーンとは、順光、逆光、ストロボ等の、被写体を撮影する時の光源条件及びアンダー撮影等の露出条件を示す。
【００７６】
指標１は、領域毎に算出された第１の占有率に、撮影条件に応じて予め設定された第１の係数を乗算して和をとることにより算出される。指標１は、屋内撮影度、近接撮影度、顔色高明度等のストロボ撮影時の特徴を示すもので、「ストロボ」と判別されるべき画像を他の撮影シーンから分離するためのものである。
【００７７】
指標１を算出する際、所定の高明度の肌色色相領域と、当該高明度の肌色色相領域以外の色相領域とで、異なる符号の係数を用いる。ここで、所定の高明度の肌色色相領域には、ＨＳＶ表色系の明度値で１７０〜２２４の領域が含まれる。また、所定の高明度の肌色色相領域以外の色相領域には、青色色相領域（色相値１６１〜２５０）、緑色色相領域（色相値４０〜１６０）の少なくとも一方の高明度領域が含まれる。
【００７８】
指標２は、領域毎に算出された第１の占有率に、撮影条件に応じて予め設定された第２の係数を乗算して和をとることにより算出される。指標２は、屋外撮影度、空色高明度、顔色低明度等の逆光撮影時の特徴を複合的に示すもので、「逆光」と判別されるべき画像を他の撮影シーンから分離するためのものである。
【００７９】
指標２を算出する際、肌色色相領域（色相値０〜３９、３３０〜３５９）の中間明度領域と、当該中間明度領域以外の明度領域とで、異なる符号の係数を用いる。この肌色色相領域の中間明度領域には、明度値８５〜１６９の領域が含まれる。また、当該中間明度領域以外の明度領域には、例えば、シャドー領域（明度値２６〜８４）が含まれる。
【００８０】
指標３は、領域毎に算出された第２の占有率に、撮影条件に応じて予め設定された第３の係数を乗算して和をとることにより算出される。指標３は、逆光とストロボ間における、画像データの画面の中心と外側の明暗関係の差異を示すものであり、逆光又はストロボと判別されるべき画像のみを定量的に示すものである。指標３を算出する際、画像データの画面の外縁からの距離に応じて異なる値の係数を用いる。
【００８１】
指標４は、画像データの画面中央部における肌色の平均輝度値に、撮影条件に応じて予め設定された第４の係数を乗算して和をとることにより算出される。より好ましくは、画像データの画面中央部における肌色の平均輝度値だけでなく、画像データの最大輝度値と平均輝度値との差分値、輝度標準偏差、画面中央部における平均輝度値、画像の肌色最大輝度値と肌色最小輝度値の差分値を２で割った値から肌色平均輝度値を引いた値の各々に、撮影条件に応じて予め設定された第４の係数を乗算して和をとることにより、撮影シーンを特定するための指標４を算出する。指標４は、ストロボ撮影シーンとアンダー撮影シーンにおける、画像データの画面の中心と外側の明暗関係の差異を示すだけでなく、輝度ヒストグラムにおける分布情報を示すものであり、ストロボ撮影シーン又はアンダー撮影シーンと判別されるべき画像のみを定量的に示すものである。
【００８２】
指標４を算出する際、輝度値を用いているが、ここでいう輝度値とは、明るさを表す指標であり、他の明るさを表す指標（例えば、ＨＳＶ表色系の明度値等）を用いてもよい。また、最大輝度値、肌色最大輝度値、肌色最小輝度値には、最大輝度値及び最小輝度値からの累積画素数が全画素に対して所定の割合に達した画素の輝度値を用いてもよい。
【００８３】
指標５は、指標１、指標３に、それぞれ、撮影条件に応じて予め設定された係数を乗算して和をとることにより算出される。より好ましくは、指標１、指標３及び画面中央部における肌色の平均輝度値（以下、指標４'という。）に、それぞれ、撮影条件に応じて予め設定された係数を乗算して和をとることにより指標５を算出してもよい。
【００８４】
指標６は、指標２、指標３に、それぞれ、撮影条件に応じて予め設定された係数を乗算して和をとることにより算出される。より好ましくは、指標２、指標３及び指標４'に、それぞれ、撮影条件に応じて予め設定された係数を乗算して和をとることにより指標６を算出してもよい。
【００８５】
次に、図１０に示すように、指標４、指標５及び指標６の値に基づいて、画像データの撮影シーン（光源条件及び露出条件）が判別される（ステップＴ３）。例えば、順光、逆光、ストロボの各光源条件が異なると、指標５と指標６の組み合わせの範囲に差が見られるため、指標５及び指標６の値により撮影シーンを定量的に判別することができる。さらに、指標４は、特に、ストロボ撮影シーンとアンダー撮影シーンとを判別するのに有効である。
【００８６】
次に、撮影シーンの判別結果に基づいて、画像データに対する濃度変更指示データが算出される（ステップＴ４）。例えば、ストロボ撮影シーンに対しては、画像全体の濃度を高くする濃度変更指示データが算出され、アンダー撮影シーンに対しては、画像全体の濃度を低くする濃度変更指示データが算出される。
【００８７】
図１０に示した自動補正処理以外にも、画像データから特定の対象領域を抽出し、抽出された対象領域の濃度を目標濃度範囲に変換するための濃度変更指示データを算出する方法を用いることも可能である。
【００８８】
図５に戻り、濃度変更指示が複数の場合には、複数の濃度変更指示に対する各濃度変化量から総和が算出される（ステップＳ３）。
【００８９】
例えば、自動補正によりＤについて４５％、Ｙについて５％、Ｍについて２０％の濃度変更指示があり、操作部１１からのマニュアル補正によりＤについて＋２ボタン、Ｙについて＋１ボタン、Ｃについて＋１ボタンの濃度変更指示があった場合を説明する。図７に示したように、Ｄについては１ボタン１５％、ＹＭＣについてはそれぞれ１ボタン１０％であるから、マニュアル補正による変化量はＤについて３０％、Ｙについて１０％、Ｃについて１０％となる。したがって、自動補正とマニュアル補正を合わせた変化量は、Ｄについて７５％、Ｙについて１５％、Ｍについて２０％、Ｃについて１０％となる。「＋Ｙ」処理、「＋Ｍ」処理、「＋Ｃ」処理については、１／３の割合で濃度変更に寄与するため、
（１５％＋２０％＋１０％）／３＝１５％
より、７５％に１５％を加えた９０％が濃度の総変化量として算出される。
【００９０】
そして、算出された総変化量に基づいて、中濃度基準点のＹ軸方向における座標位置が変更され、これに連動して、高濃度基準点及び／又は低濃度基準点の変換基準直線上における座標位置が変更される（ステップＳ４）。
【００９１】
続いて、座標位置が変更された中濃度基準点、高濃度基準点及び低濃度基準点を通る変換曲線が求められる。図１１に、濃度変更指示データに基づいて定められた変換曲線の例を示す。濃度変更指示データが示す変更量が大きくなるにつれて、高濃度基準点及び低濃度基準点は変換領域から離れていく。具体的には、この変換曲線上の点に対応するＬＵＴ（Look Up Table）が算出される（ステップＳ５）。
【００９２】
そして、算出されたＬＵＴに基づいて、画像データの濃度に対して濃度変換が行われ（ステップＳ６）、画像へ反映される（ステップＳ７）。
以上で、濃度変換処理が終了する。
【００９３】
以上のように、画像処理装置１によれば、濃度変更指示データに基づいて変換領域内に存在する中濃度基準点の座標位置が変更され、この中濃度基準点の座標位置の変更に連動して高濃度基準点及び／又は低濃度基準点の変換基準直線上における座標位置が変更されるので、高濃度基準点、中濃度基準点及び低濃度基準点の3点を通過する変換曲線、すなわち濃度変換特性が変更されることとなる。
【００９４】
例えば、図１２に示すように、画像全体の濃度を高くするような濃度変換を行う場合に、従来の変換直線Ｌ１を用いた濃度変換と比較して、シャドー部のつぶれや、ハイライト部が暗くなってしまう現象が緩和される。また、従来の変換曲線Ｃ１を用いた濃度変換と比較して、シャドー部での軟調化、ハイライト部での硬調化が緩和される。
【００９５】
また、図１３に示すように、画像全体の濃度を低くするような濃度変換を行う場合には、従来の変換直線Ｌ２を用いた濃度変換と比較して、ハイライト部の白抜けや、シャドー部が明るくなってしまう現象が緩和される。また、従来の変換曲線Ｃ２を用いた濃度変換と比較して、シャドー部での硬調化が緩和され、ノイズを抑制することができる。また、ハイライト部での軟調化が緩和される。
【００９６】
このように、変換曲線が変換領域の境界を横切る座標位置のデータが変換領域の原点又は対角点に収束する値をもたず、原点又は対角点から適度に離れた値をもつため、ハイライト部やシャドー部における画像の階調バランスを保持しつつ画像データの濃度を適正に変更することができる。
【００９７】
また、濃度変更指示データが示す変更量が大きくなるにつれて、原点と高濃度基準点との距離が大きくなるので、シャドー部における画像の硬調化又は軟調化を緩和することができる。また、濃度変更指示データが示す変更量が大きくなるにつれて、対角点と低濃度基準点との距離が大きくなるので、ハイライト部における画像の硬調化又は軟調化を緩和することができる。
【００９８】
また、濃度変更指示が複数の場合には、複数の濃度変更指示に対する各濃度変化量から総和を算出し、算出された総和に基づいて濃度を変更するので、効率良く画像データの濃度を変更することができる。
【００９９】
なお、上記実施の形態における記述は、本発明に係る好適な画像処理装置の例であり、これに限定されるものではない。画像処理装置を構成する各部の細部構成及び細部動作に関しても本発明の趣旨を逸脱することのない範囲で適宜変更可能である。
【０１００】
例えば、上記実施の形態のようにＹＭＣを用いて濃度変更指示を行う代わりに、例えば、ＲＧＢ、Ｌ*ａ*ｂ*、ＹＣＣ等、他の色空間を用いて濃度変更指示を行うように構成することも可能である。
【０１０１】
また、図６（ａ）に示した操作画面の他、例えば、図１４に示すように、ＣＲＴ８に９つの画像を表示し、中央に現在の画像、左右には「＋Ｄ」、「−Ｄ」の処理が施された画像、同様に上段に「＋Ｙ」、「＋Ｍ」、「＋Ｃ」の処理が施された画像、下段に「−Ｙ」、「−Ｍ」、「−Ｃ」の処理が施された画像を配置することとしてもよい。例えば、「＋Ｄ」の画像を操作部１１からの操作によりクリックすると、「＋Ｄ」の処理が施された画像が中央に配置され、それに応じて他の画像も再処理、再表示される。
【０１０２】
また、図１５に示すように、ＣＲＴ８の画面上にスライドバーを表示して、操作部１１からの操作によりスライドバーをスライドさせることにより、ＹＭＣ及びＤのそれぞれの処理について図６（ｂ）のボタンを押す回数に相当する数値を入力するように構成することも可能である。バーを移動すると、その処理の効果が画像に反映される。バーの移動量に対する画像変化量も、ボタン操作の場合と同様に設定可能とする。
【０１０３】
また、上記実施の形態では、濃度変換処理の対象となる濃度を示すデータとして、値が小さいほど濃度が高く、値が大きいほど濃度が低いデータを用いた例について説明したが、濃度を示すデータとして、値が小さいほど濃度が低く、値が大きいほど濃度が高いデータを用いてもよい。その場合には、変換領域の原点側に低濃度基準点を、変換領域の対角点側に高濃度基準点を設けることとすればよい。
【図面の簡単な説明】
【０１０４】
【図１】本発明の実施の形態の画像処理装置１の概観構成を示す斜視図である。
【図２】画像処理装置１の内部構成を示すブロック図である。
【図３】濃度変換曲線の作成方法を説明するための図である。
【図４】濃度の総変化量に対する高濃度基準点における入力値を示すグラフである。
【図５】濃度変換処理を説明するフローチャートである。
【図６】（ａ）は、ＣＲＴ８に表示される操作画面の例である。（ｂ）は、操作画面における濃度調整ボタンを示す図である。
【図７】１変更指示あたりのＹＭＣＤ各濃度の単位変化量の設定画面の例である。
【図８】Ｌ*ａ*ｂ*色空間を示す図である。
【図９】（ａ）は、単位ベクトルＹ，Ｍ，Ｃを同一Ｌ*平面上に射影した図である。（ｂ）は、単位ベクトルＹ，Ｍ，Ｃを同一ｂ*平面上に射影した図である。
【図１０】自動補正処理を説明するフローチャートである。
【図１１】濃度変更指示データに基づいて定められた変換曲線の例を示す図である。
【図１２】画像全体の濃度を高くするような濃度変換を行う場合の変換曲線を示す図である。
【図１３】画像全体の濃度を低くするような濃度変換を行う場合の変換曲線を示す図である。
【図１４】操作画面の例である。
【図１５】操作画面の例である。
【図１６】従来の濃度変換の例である。
【図１７】従来の濃度変換の例である。
【符号の説明】
【０１０５】
１  画像処理装置
２  本体
３  マガジン装填部
４  露光処理部
５  プリント作成部
６  トレー
７  制御部
７０  濃度変換手段
８  ＣＲＴ
９  透過原稿入力装置
１０  反射原稿入力装置
１１  操作部
１２  情報入力手段
１４  画像読込部
１５  画像書込部
１７  データ蓄積手段
Ｈ  高濃度基準点
Ｍ  中濃度基準点
Ｌ  低濃度基準点
Ｌｓ  変換基準直線
【図１】
2006093965.tif 000003
【図２】
2006093965.tif 000004
【図３】
2006093965.tif 000005
【図４】
2006093965.tif 000006
【図５】
2006093965.tif 000007
【図６】
2006093965.tif 000008
【図７】
2006093965.tif 000009
【図８】
2006093965.tif 000010
【図９】
2006093965.tif 000011
【図１０】
2006093965.tif 000012
【図１１】
2006093965.tif 000013
【図１２】
2006093965.tif 000014
【図１３】
2006093965.tif 000015
【図１４】
2006093965.tif 000016
【図１５】
2006093965.tif 000017
【図１６】
2006093965.tif 000018
【図１７】
2006093965.tif 000019